(57)【要約】【課題】踝が踵収容部に引っ掛かることなく脱ぎ履き可能な履物を提供する。【解決手段】足Ｌの爪先Ｌ１を包み込む爪先収容部２１と、踵Ｌ２を包み込む踵収容部２３とを備えたアッパー部２と、爪先側で踏み付けられる踏付部３１と、踵を支える踵部３２とを備えたソール部３と、前記アッパー部とソール部との間に中底部４が配される履物１であって、アッパー部は、爪先収容部と踵収容部が分離して形成され、ソール部は、踏付部と踵部が、所定の隙間を持って分離して形成されている。また、踵収容部は、該踵収容部の爪先側で、足の甲を帯状に包み込むストラップ部２２を有している。さらに、踵部の踏付部に対向する面３１ａと、踏付部の踵部に対向する面３２ｃは、踵部の面と踏付部の面との間隔が靴底面３２ｂに向かって徐々に大きくなる傾斜面に形成されている。【選択図】図５
2009136500.tif 000002
【特許請求の範囲】
【請求項１】
足の爪先を包み込む爪先収容部と、踵を包み込む踵収容部とを備えたアッパー部と、
足裏の爪先側で踏み付けられる踏付部と、踵を支える踵部とを備えたソール部と、
前記アッパー部とソール部との間に中底部が配される履物であって、
アッパー部は、爪先収容部と踵収容部が分離して形成され、
ソール部は、踏付部と踵部が、所定の隙間を持って分離して形成されていることを特徴とする履物。
【請求項２】
踵収容部は、該踵収容部の爪先側で、足の甲を帯状に包み込むストラップ部を有していることを特徴とする請求項１に記載の履物。
【請求項３】
踵部の踏付部に対向する面と、踏付部の踵部に対向する面は、踵部の面と踏付部の面との間隔が靴底面に向かって徐々に大きくなる傾斜面に形成されていることを特徴とする請求項１又は請求項２に記載の履物。
【請求項４】
傾斜面が形成する内角は３０°であることを特徴とする請求項３に記載の履物。
【発明の詳細な説明】
【技術分野】
【０００１】
本発明は、脱ぎ履きが容易な履物に関し、詳述すれば、踝が踵収容部に引っ掛かることなく脱ぎ履き可能な履物に関する。
【背景技術】
【０００２】
従来、アッパー部として、足の爪先を包み込む爪先収容部と、踵を包み込む踵収容部を備えた履物を履く場合には、爪先収容部の踵側で開口した履き口に爪先をいれた後に、踝を捻るようにして踵を踵収容部に納めている。
【０００３】
ところが、足の不自由な状態が長期間続いた場合には、爪先下がりの状態のまま、踝の関節が柔軟性を失ってしまうことが多い。また、加齢よっても関節が硬直する傾向があり、さらには、脳梗塞などによる後遺症がある場合には、硬直に加えてむくみが生じることにより、さらに踝の関節が動き難くなってしまうことが多い。
このような状態では、履物の履き口から爪先を入れると、踵が踵収容部に接触することから、踵を踵収容部に納めることが困難であった。このような場合には、介護者の手を借りる必要がある。具体的には、介護者は、履物の踵収容部を押し下げるように変形させるとともに、被介護者の足首を手で動かして踵を履き口内に納めている。
【０００４】
そこで、容易に脱ぎ履きが可能で、介護者の負担を軽減した履物として、例えば特許文献１では、アッパー部にジッパーを設けて、ソール部に到るまで展開可能にした履物を開示している。この場合、ジッパーを開けてアッパー部を展開状態にすると、ソール部が露出するので、露出したソール部に被介護者の足を乗せてからジッパーを閉じてアッパー部を組み立てれば、被介護者に履物を履かせることができる。
【０００５】
しかし、このような履物は、ジッパーが設けられる事により、明らかに通常の履物とは相違した外観となってしまう。そこで、前述したような通常の履物を履こうとした場合には、介護者は、履物と被介護者の足との両方を連携させて同時に操作しなければならないため、熟練を要していた。
【０００６】
【特許文献１】特開２００２−１５９３０７号公報
【発明の開示】
【発明が解決しようとする課題】
【０００７】
本発明は、このような問題を解決するためになされており、その目的は、踝が踵収容部に引っ掛かることなく脱ぎ履き可能な履物を提供することである。
【課題を解決するための手段】
【０００８】
このような目的を達成するために、第１の発明は、足の爪先を包み込む爪先収容部と、踵を包み込む踵収容部とを備えたアッパー部と、足裏の爪先側で踏み付けられる踏付部と、踵を支える踵部とを備えたソール部と、前記アッパー部とソール部との間に、中底部が配される履物であって、アッパー部は、爪先収容部と踵収容部が分離して形成され、ソール部は、踏付部と踵部が、所定の隙間を持って分離して形成されていることを特徴とする履物としたことである。また、踵収容部は、該踵収容部の爪先側で、足の甲を帯状に包み込むストラップ部を有している場合もある。さらに、踵部の踏付部に対向する面は、踵収容部の爪先側が中底部と接する位置に合わせて配されている場合もある。さらに、踵部の踏付部に対向する面と、踏付部の踵部に対向する面は、踵部の面と踏付部の面との間隔が靴底面に向かって徐々に大きくなる傾斜面に形成されていても良い。その場合には、傾斜面が形成する内角は３０°とする場合もある。
【発明の効果】
【０００９】
本発明によれば、踝が踵収容部に引っ掛かることなく脱ぎ履き可能な履物を提供することができる。
【発明を実施するための最良の形態】
【００１０】
以下、本発明の一実施の形態に係る履物１について添付図面を参照して説明する。なお、履物１の概略全体形状は、従来の履物と同様の形状となるように形成されているので、以下では、本発明の特徴部分を中心に説明する。
また、履物１は、左右対称に一対組み合わされて使用されるので、ここでは、前記一対のうち、左足用の片側を例に挙げて説明する。なお、左足用と右足用の双方が組となって履物１となるものであるが、説明の都合上、左足用の片側も履物１と称する。
【００１１】
履物１は、足（図１中の破線参照）Ｌの上側ＬＵの部分を包み込むアッパー部２と、足の裏ＬＤで踏み付けられるソール部３と、前記アッパー部２とソール部３との間に配される中底部４とを有している。
アッパー部２は、足Ｌの上側ＬＵの爪先側Ｌ１を包み込む爪先収容部２１と、足Ｌの踵側Ｌ２を包み込む踵収容部２３とに分離して形成されている。また、踵収容部２３は、足Ｌの甲Ｌ３を帯状に包み込むストラップ部２２を有している。
ソール部３は、靴底の形状に合わせ所定の厚さで形成されており、足Ｌの裏ＬＤの爪先側Ｌ１で踏み付けられる踏付部３１と、足Ｌの踵側Ｌ２を支える踵部３２とに分離している。
【００１２】
爪先収容部２１は、足Ｌの爪先側Ｌ１を後側から差し込み可能に、後方に向けて開口した袋状に形成されている。本実施例では、爪先収容部２１の後端２１ａからは、踵収容部２３に向けて、側面部材２１ｂ，２１ｂが延出している。これにより、爪先収容部２１の後側（踵側）には、上方に向けて開口した前側履き口５ａが形成されている。
【００１３】
踵収容部２３は、足Ｌの踵側Ｌ２を上方から差し込み可能に、上方に向けて開口するとともに、前側（爪先側）方向にも開口して形成されており、これにより、足Ｌの踵側Ｌ２の左右側面及び後側を包み込む。
また、踵収容部２３の爪先側が中底部４と連結している部分２２ｅと、爪先収容部２１の側面部材２１ｂ，２１ｂの踵側が中底部４と連結している部分２１ｃが突き合わされている。
なお、本実施例では、踵の形状に馴染み、包み込み易くするため、踵収容部２３には、カウンター（芯材）が使用されていない。
【００１４】
ストラップ部２２は、踵収容部２３から上方かつ前方に延出して、帯状に形成されている。これにより、履物１を履いた場合に、足Ｌの甲Ｌ３にストラップ部２２が掛け渡されて、踵収容部２３から足Ｌの踵側Ｌ２が抜け出すことを防止する。
なお、本実施例では、脱ぎ履き時の便宜を図るため、ストラップ部２２は、履物１の左右からそれぞれ延出した一対の舌状部２２ａ，２２ｂ（図２参照）に形成されており、一方の舌状部２２ａと他方の舌状部２２ｂを重なり合わせている。さらに、該重なり合う部分には、面ファスナ２２ｃ，２２ｄを備えて、ストラップ部２２を任意の長さで一本の帯状にすることができるようになっている。
【００１５】
踵部３２は、履物１の後端から、踵収容部２３の先端側（爪先側）が中底部４と接する部分２２ｅまで延設され、踏付部３１は、履物１の爪先から、踵収容部２３の部分２２ｅの僅かに爪先側まで延設されている。このとき、踏付部３１の踵部３２に対向する面３１ａが中底部４と接する部分３１ｃと、踵部３２の踏付部３１に対向する面３２ａ中底部４と接する部分３２ｃは、僅かな隙間Ｂを有している。また、該隙間Ｂの位置は、前記爪先収容部２１と踵収容部２３が突き合わされている部分２１ｃ，２２ｅと合わせて配されている。
【００１６】
また、踏付部３１の踵部３２に対向する面３１ａは、靴底面３１ｂにかけ、爪先方向に傾斜して形成されている。さらに、踵部３２の踏付部３１に対向する面３２ａは、靴底面３１ｂにかけ、踵方向に傾斜して形成されている。これにより、面３１ａと面３２ａとの間隔は、靴底面３２ｂに向かって徐々に大きくなるように設定されることとなる。
【００１７】
本実施例では、踏付部３１の面３１ａが中底部４と接する部分３１ｃと、踵部３２の面３２ａが中底部４と接する部分３２ｃとの間隔Ｂが約４ｍｍに設定されるととともに、踏付部３１の面３１ａの下端（靴底面３１ｂと連続する部分）３１ｄと、踵部３２の面３２ａの下端（靴底面３２ｂと連続する部分）３２ｄとの間隔Ｄが約１２ｍｍに設定されている。
また、本実施例では、踏付部３１の面３１ａと、踵部３２の面３２ａとは、それぞれ同じ角度の傾斜に形成されることにより、面３１ａと面３２ａとが形成する内角θが形成される。該内角θは、上記曲折の稼動範囲となることから、内角θが大きく設定される程、曲折の角度が大きくなるが、その反面、靴底の面積が少なくなってしまう。従って、該内角θは、履物１の使用環境や需要者の要望によって、安全面を考慮しつつ設定されることが好ましい。この場合、内角θは、１５度から３０度程度に設定されるのが好適であり、本実施例では、一例として３０度に設定している。
【００１８】
なお、本実施例では、中底部４は、その上面側４ａが、アッパー部２（爪先収容部２１及び踵収容部２３）と連結され、下面４ｂがソール部３（踏付部３１及び踵部３２）と連結されて、前記アッパー部２とソール部３とを上下に連結している。これにより、体重を支えるとともに、履物の構造を支持しアッパー部２をソール部３が一体化する。
また、本実施例のソール部３は、踏付部３１の爪先側が薄く形成されている。これにより、接地面を小さくして摩擦を少なくし、テコの原理で足がスムーズに前に出るようになる。さらに、踵部３２の後端側も薄く形成されており、これにより、前方に振り出した足の踵にかかる衝撃を少なくしている。また、踵部３２は、靴底面３２ｂ側の硬質スポンヂと中底部４側の軟質スポンヂが貼り合わされて形成されている。これにより、踵にかかる接地ショックの吸収と耐磨耗性とを両立している。なお、足のむくみがある場合には、足のサイズが日々変化する傾向にあるが、そのような場合には、足のサイズの変化に合わせた中敷を履物１に挿入することで、履物１を足にフィットさせると良い。その場合、中敷にも低反発のショック吸収材が使用されることが好ましい。
【００１９】
本実施例の中底部４は、踏付部３１と踵部３２とが間隔（隙間）Ｂを開けて配されていることによって、中底部４は、その間隔Ｂの部分で靴底面３２ｂ方向に屈曲可能となる。
この場合、本実施例による履物１の構成では、屈曲性を良くするため、中底部４に柔らかい素材が使用されることが好ましく、履物１の製法としては、アッパー部２及び中底部４の縁部を裾テープで縫い合わせて袋状にしてから、ソール部３に貼り付ける、プラット式（カリフォルニア式ともいう）製法が好ましい。
また、本実施例の中底部４は、中底部４の芯材が爪先側から踵側まで連続して形成されるとともに、中底部４の上面側４ａに配される布と、下面４ｂ側に配されるクッション材が、それぞれ、上記屈曲部分で爪先側と踵側に２分割されている。これにより、屈曲性が向上する。
【００２０】
このとき、中底部４は、踏付部３１の面３１ａと踵部３２の面３２ａとが当接するまで、靴底３２ｂ方向に曲折（図４の円弧矢印参照）することができる。これにより、曲折時には、踵収容部２３の後ろ側の上端２３ａ（図４の実線参照）が、曲折していない時の上端２３ａ（図４の破線参照）よりも下側（靴底側）に降下する。
なお、曲折の中心は中底部４の上面側となるが、前記間隔Ｂの中底部４が、その厚み全体が撓んで、面３１ａの上端３１ｃと面３２ａの上端３２ｃのみが当接することなく、面３１ａと面３２ａの面全体が当接するように調整されている。
【００２１】
次に、このように構成された履物１を脱ぎ履きする場合を説明する（図５参照）。
履物１を履く場合には、まず、ストラップ部２２の面ファスナ２２ｃと面ファスナ２２ｄの結合を剥がして、舌状部２２ａ，２２ｂを分離させる。
次に、中底部４を曲折（図５中の円弧矢印参照）することにより、踵収容部２３の後ろ側の上端２３ａ（図５の破線参照）を実線で示す上端２３ａ（図５の実線参照）のように下側（靴底側）に降下させる。
【００２２】
次に、足Ｌの爪先側Ｌ１を前側履き口５ａから爪先収容部２１内に差し込む（図５の白抜き矢印参照）。このとき、踵収容部２３と踵部３２が下側（靴底側）に降下しているので、踵収容部２３の後ろ側の上端２３ａも下側（靴底側）に降下しており、足Ｌの踵側Ｌ２が上端２３ａに引っ掛かることがない。すなわち、踝の関節を捻る必要なく、足Ｌの爪先側Ｌ１を爪先収容部２１の奥まで差し込むことができる。
足Ｌの爪先側Ｌ１を爪先収容部２１の奥まで充分に差し込んだ後に、降下させていた踵収容部２３の後ろ側の上端２３ａ（図５の実線参照）を、破線で示す上端２３ａ（図５の破線参照）の位置に上昇させることにより、足Ｌの踵側Ｌ２が、後側履き口５ｂから踵収容部２３に納められる（図６参照）。
【００２３】
最後に、ストラップ部２２の分離させていた舌状部２２ａ，２２ｂを足Ｌの甲部分Ｌ３に帯状に掛け渡すとともに、面ファスナ２２ｃと２２ｄを貼り合わせて固定すれば、履物１が足Ｌと一体となる。
こととき、履物１には、足Ｌの爪先側Ｌ１と踵側Ｌ２とに荷重（体重）が掛かる（図６中の２つの白抜き矢印参照）ので、安定して足Ｌを支えることができる。
なお、履物１を脱ぐ場合には、前述と逆の順序とすれば良い。
【００２４】
また、歩行のため、足Ｌを後方に蹴り出した状態では、足Ｌの爪先側Ｌ１に荷重（体重）が掛かる（図７中の白抜き矢印参照）とともに、踵側Ｌ２が上方に引き上げられる。
この場合、荷重の掛けられた踏付部３１は、先端部分が地面に押し付けられ、踵部３２は、足Ｌの甲Ｌ３に帯状に掛け渡されたストラップ部２２によって引き上げられる（図７中の左向き矢印参照）。このとき、爪先収容部２１と踏付部３１が湾曲して、履物１が足Ｌの形状変化に追従する。
【００２５】
本実施例によれば、履物１の踵収容部２３及び踵部３２が、爪先収容部２１及び踏付部３１に対して屈曲するので、履物１の爪先収容部２１に足Ｌの爪先側Ｌ１を差し込む際に、足Ｌの踵側Ｌ２が踵収容部２３と当接することがなく、健常者のみならず、踝の関節が柔軟性を失ってしまった場合であっても履物１が履き易い。また、介護者が、被介護者に履物１を履かせる場合であっても、踏付部３１と踵部３２を片手で掴むことにより、履物１の踵収容部２３が降下した状態を維持することが容易で、もう一方の手が自由になるので介護が容易となり、介護者の負担が軽減された。
【００２６】
なお、本実施例では、踏付部３１の面３１ａと、踵部３２の面３２ａとは、それぞれ同じ角度の傾斜に形成したが、この限りではなく、面３１ａの傾斜角度と面３２ａの傾斜角度を合わせて所定の内角θに設定されていれば良い。例えば、踏付部３１の面３１ａが１／３θの傾斜角度に形成されるとともに、踵部３２の面３２ａが２／３θの傾斜角度に形成されていても良い。あるいは、踵部３２の面３２ａが垂直に形成されるとともに、踏付部３１の面３１ａが該所定の内角θに形成されていても良く、または、踏付部３１の面３１ａが垂直に形成されるとともに、踵部３２の面３２ａが該所定の内角θに形成されていても良い。
【００２７】
また、本実施例では、踏付部３１の面３１ａが中底部４と接する部分３１ｃと、踵部３２の面３２ａが中底部４と接する部分３２ｃとの間隔Ｂが約４ｍｍに設定したが、中底部４の曲折が可能であれば、これに限定されず、踏付部３１と踵部３２が靴底３２ｂ方向に曲折可能に隙間を有して配されていれば良い。
【００２８】
また、本実施例では、中底部４に柔らかい素材を使用することで屈曲可能にしていたが、中底部４が所望の方向に曲折可能であれば、他の構成であっても良い。例えば、中底部４を爪先側と踵側に分割するとともに、該分割部分に、蝶番や軟質樹脂片を介在させることによって曲折可能な構成としても良い。
【００２９】
本実施例では、ストラップ部２２は、一対の舌状部２２ａ，２２ｂ（図２参照）に形成して面ファスナ２２ｃ，２２ｄで固定したが、これに限定されず、足Ｌの甲Ｌ３に帯状に掛け渡されて、踵収容部２３から足Ｌの踵側Ｌ２が抜け出すことを防止可能であれば他の形状で出会っても良い。例えば、舌状部２２ａ，２２ｂをバックル状の固定具で固定しても良く、あるいは、ストラップ部２２の一部がゴム部材で形成されることにより、足Ｌの甲Ｌ３に帯状に掛け渡されても良い。
【００３０】
また、本実施例では、履物１の前側履き口５ａが開口した形状としたが、これに限定されず、前側履き口５ａは閉口した形状であっても良い。この場合には、履物１の爪先収容部２１に足Ｌの爪先側Ｌ１を差し込み易くするために、閉口された履き口５ａの一部をゴム部材で形成したり、蛇腹部材で形成したりして、拡開可能となっていることが好ましい。
【００３１】
なお、本実施例では、アッパー部２（爪先収容部２１及び踵収容部２３）とソール部３（踏付部３１及び踵部３２）が、それぞれ、中底部４で連結される構成としたが、これに限定されず、爪先収容部２１と踏付部３１ならびに、踵収容部２３と踵部３２が、それぞれ直接連結しており、中底部４は、それらの中側に挟み込まれて配されていても良い。
【図面の簡単な説明】
【００３２】
【図１】本発による履物の一実施例を示し、履物を履いた状態の側面図。
【図２】ストラップ部を分離させた状態の履物の斜視図。
【図３】図２のＡ−Ａ線による断面図。
【図４】中底部が曲折して踵収容部が降下した状態を説明する履物の側面図。
【図５】爪先収容部に足の爪先側を差し込む状態を示す履物の説明断面図。
【図６】履物を履いた状態を示す説明断面図。
【図７】足を後側に蹴り出した状態を示す説明断面図。
【符号の説明】
【００３３】
Ｌ  足
Ｌ１  足の爪先側
Ｌ２  足の踵側
Ｌ３  足の甲
１  履物
２  アッパー部
３  ソール部
２１  爪先収容部
２２  ストラップ部
２３  踵収容部
３１  踏付部
３２  踵部
【図１】
2009136500.tif 000003
【図２】
2009136500.tif 000004
【図３】
2009136500.tif 000005
【図４】
2009136500.tif 000006
【図５】
2009136500.tif 000007
【図６】
2009136500.tif 000008
【図７】
2009136500.tif 000009